(57)【要約】  撮影された骨部、特に歯槽骨のＸ線画像を用いて骨密度を定量的に算出する装置（１）及びシステム（１００）、及び歯槽骨のＸ線撮影を正確にかつ容易に行うための撮影補助具（４）を提供する。  本願の骨密度測定装置（１）は、撮影された骨部及び参照体に係るＸ線画像を同一画面に表示する画像表示部（１０１）と、表示された参照体に係るＸ線画像の濃度を測定する参照体濃度測定部（１０３）と、表示された骨部に係るＸ線画像の濃度を測定する骨部濃度測定部（１０５）と、骨部に係るＸ線画像濃度と参照体に係るＸ線画像濃度とを比較して骨部の骨密度を算出する骨密度算出部（１０６）とを有する。
2018131611.tif 000002
【特許請求の範囲】
【請求項１】
撮影された骨部及び参照体に係るＸ線画像を同一画面に表示する画像表示部と、  表示された前記参照体に係る前記Ｘ線画像の濃度を測定する参照体濃度測定部と、  表示された前記骨部に係る前記Ｘ線画像の濃度を測定する骨部濃度測定部と、  前記骨部に係るＸ線画像濃度と前記参照体に係るＸ線画像濃度とを比較して前記骨部の骨密度を算出する骨密度算出部と  を有する骨密度測定装置。
【請求項２】
前記参照体が歯の組成と近似する組成であることを特徴とする請求項１に記載の骨密度測定装置。
【請求項３】
前記参照体が、ハイドロキシアパタイト又は該アパタイトのＯＨ基を他の元素に置換したハイドロキシアパタイトの同族体と炭素とを、異なる混合比で混和して構成したものであることを特徴とする請求項２に記載の骨密度測定装置。
【請求項４】
前記参照体が３段階の画像濃度が得られる試料を含み、前記骨密度算出部は前記３段階の画像濃度を用いて骨密度を算出することを特徴とする請求項１に記載の骨密度測定装置。
【請求項５】
前記参照体を収容するケースに付されたマーカーを読み取ることにより、前記参照体の検出を開始することを特徴とする請求項１に記載の骨密度測定装置。
【請求項６】
前記参照体の関心領域を設定する参照体関心領域設定部を更に有することを特徴とする請求項５に記載の骨密度測定装置。
【請求項７】
骨密度測定用の参照体と、  骨部及び前記参照体に係るＸ線画像を同時に撮影する撮影装置と、  骨密度測定装置と  を有する骨密度測定システムであって、前記骨密度測定装置は、  撮影された骨部及び参照体に係るＸ線画像を同一画面に表示する画像表示部と、  表示された前記参照体に係る前記Ｘ線画像の濃度を測定する参照体濃度測定部と、  表示された前記骨部に係る前記Ｘ線画像の濃度を測定する骨部濃度測定部と、  前記骨部に係るＸ線画像濃度と前記参照体に係るＸ線画像濃度とを比較して前記骨部の骨密度を算出する骨密度算出部と  を具備することを特徴とする骨密度測定システム。
【請求項８】
前記参照体が、歯の組成と近似する組成であることを特徴とする請求項７に記載の骨密度測定システム。
【請求項９】
前記参照体が、ハイドロキシアパタイト又は該アパタイトのＯＨ基を他の元素に置換したハイドロキシアパタイトの同族体と炭素とを、異なる混合比で混和して構成したものであることを特徴とする請求項８に記載の骨密度測定システム。
【請求項１０】
前記参照体が３段階の画像濃度が得られる試料を含むことを特徴とする請求項７に記載の骨密度測定システム。
【請求項１１】
前記参照体を収容するケースと、  前記ケースに設けられた自動読み取り可能なマーカーと  を更に有することを特徴とする請求項７に記載の骨密度測定システム。
【請求項１２】
前記参照体と前記骨部とを同時に撮影するために前記参照体を保持する撮影補助具を更に有することを特徴とする請求項７に記載の骨密度測定システム。
【請求項１３】
骨部の撮影用に画像情報検出媒体を保持する保持部と、前記保持部の一端に設けられ前記保持部を適切な位置に支持するための支持部とを有し、  前記保持部の前記支持部側に、前記骨部とともに前記画像情報検出媒体に検出されるように、参照体が保持される機構を備えることを特徴とする撮影補助具。
【発明の詳細な説明】
【技術分野】
【０００１】  本発明は、骨部のＸ線画像を用いて骨密度を測定する装置及びシステムに係り、特に、歯科のＸ線画像から、歯槽骨の骨密度を定量的に算出する骨密度測定装置、及び骨密度測定システムに関する。更に、その測定を行うための撮影補助具にも関する。
【背景技術】
【０００２】  歯科治療の分野においては、治療に際して、Ｘ線画像を撮影することが広く行われている。近年は、撮影された画像から歯槽骨の骨密度を測定し、治療に役立てるようになっている。【０００３】例えば、特許文献１には、アルミニウム標準物質を用いて、歯槽骨のＸ線像の陰影濃度を測定して歯槽骨の濃度パターンを求め、次いで該濃度パターンより歯槽骨幅、吸収面積および最大吸収度の少なくとも１つの指標を求め、該指標により歯槽骨の骨萎縮度を評価することを特徴とする歯槽骨の骨萎縮度評価法の技術思想が開示されている。【０００４】  ここでは、骨萎縮度の定量的な指標として、歯槽骨幅、吸収面積および最大吸収度という指標を用いることとしている。【０００５】  また、特許文献２には、下顎骨、特に第１小臼歯の周囲の歯槽骨部分のレントゲン撮影画像を基に骨密度を評価する骨密度評価装置であって、レントゲン撮影画像は下顎骨と並んで配置された標本体（アルミニウム製ブロック）の画像を含み、標本体の画像の濃淡度を検出する検出手段と、検出手段による検出結果が基準値と一致するようにレントゲン撮影画像の濃淡度を補正する補正手段と、補正手段によって補正された補正後濃淡度に基づいて骨密度を評価する評価手段とを具備することを特徴とする、骨密度評価装置の技術思想が開示されている。【０００６】  ここでは、例えば同一患者について異なる日に撮影された複数の画像データについて、レントゲン撮影画像毎の濃淡度の差異に関係なく、骨密度を定量的に評価することができる。【０００７】また、特許文献３には、人体の歯や骨等の被測定対象物の密度、そして無機塩量を定量的に算出できるための、人体の歯や骨等の被測定対象物に非常に近い組成及び緻密度を有すると共に不純物を含まない標準試料、及びその製造方法についての技術思想が開示されている。  【０００８】これによれば、Ｘ線撮影画像から骨密度を定量的に評価する際に、標準試料として望ましい組成及びその製造方法が示されている。
【先行技術文献】
【特許文献】
【０００９】
【特許文献１】特開昭６２−２６６０５３号公報
【特許文献２】特許第４０７７４３０号公報
【特許文献３】特許第３３００６９０号公報
【発明の概要】
【発明が解決しようとする課題】
【００１０】  しかしながら、特許文献１の骨萎縮度評価法においては、一般的な骨密度の表現方法である単位面積当たりの骨量（ｇ／平方ｃｍ）で表すことができず、そのため、普遍性のある評価結果とは言いがたいという問題があった。【００１１】  また、特許文献２の骨密度評価装置においても、画像毎の濃淡度を補正して、定量的に比較できるようにはなっているが、やはり、一般的な骨密度の表現方法では表現されていないという問題があった。【００１２】  なお、特許文献３の標準試料については、その有効性に鑑み、積極的にその応用を図ることが望ましい。なお、本発明においては、標準試料を参照体として表現している。【００１３】  また、参照体と、被測定対象物、すなわち骨部、特に歯槽骨部とを、同一画面に撮影するための有効な撮影補助具については、いずれの特許文献にも開示がなされていない。【００１４】  そこで、上記問題を解決するため、本発明は、撮影された骨部、特に歯槽骨のＸ線画像を用いて骨密度を定量的に算出する装置及びシステム、及び歯槽骨のＸ線撮影を正確にかつ容易に行うための撮影補助具を提供することを課題とした。
【課題を解決するための手段】
【００１５】  かかる課題を解決するため、本発明では、骨密度測定装置であって、  −撮影された骨部及び参照体に係るＸ線画像を同一画面に表示する画像表示部と、  −表示された参照体に係るＸ線画像の濃度を測定する参照体濃度測定部と、  −表示された骨部に係るＸ線画像の濃度を測定する骨部濃度測定部と、  −骨部に係るＸ線画像濃度と参照体に係るＸ線画像濃度とを比較して骨部の骨密度を算出する骨密度算出部と  を有することを特徴とする。【００１６】  このようにすると、参照体濃度測定部と骨部濃度測定部とが、参照体と骨部関心領域との濃度（グレースケール画像の画素値あるいは階調）を測定し、次に、骨密度算出部がそれらの濃度を比較することで骨密度を絶対数値で算出することができ、正確で、普遍的な骨密度の評価結果が得られる。【００１７】  また、本発明の骨密度測定装置は、参照体が歯の組成と近似する組成であることを特徴としてもよい。【００１８】  このようにすると、参照体と骨部との間の画像濃度の相関がより正確に得られ、精度の高い骨密度の値が得られる。【００１９】  更に、本発明の骨密度測定装置は、参照体が、ハイドロキシアパタイト又は該アパタイトのＯＨ基を他の元素に置換したハイドロキシアパタイトの同族体と炭素とを、異なる混合比で混和して構成したものであることを特徴としてもよい。【００２０】  このようにすると、具体的に最も好適な参照体が得られ、更に相関が正確になる。【００２１】  更に、本発明の骨密度測定装置は、参照体が３段階の画像濃度が得られる試料を含み、それらを用いて骨密度を算出することを特徴としてもよい。【００２２】  このようにすると、参照体の段階数を少なくしたため、撮影段階、比較段階、骨密度算出段階での処理が簡便になる一方で、本発明においては、３段階としても十分に実用的な精度を保つことができるため、経済的利点が大きい。【００２３】  更に、本発明の骨密度測定装置は、更に、参照体を収容するケースに付されたマーカーを読み取ることにより、参照体の検出を開始することを特徴としてもよい。【００２４】  このようにすると、マーカーを利用することで装置や検出手順が簡素化され、かつ、正確にデータが得られる。【００２５】  更に、参照体の検出を開始したのちに参照体の関心領域を設定する、参照体関心領域設定部を有することを特徴としてもよい。【００２６】  このようにすると、参照体の濃度が均一でない場合にも、多くの画素をサンプリングして代表値（平均値、中央値、最頻値など）を求めることができるので、より正確な検出が可能となる。【００２７】  更に、本発明の別の態様では、骨密度測定システムであって、骨密度測定用の参照体と、骨部及び参照体に係るＸ線画像を同時に撮影する撮影装置と、先に述べた骨密度測定装置とを有することを特徴とする。【００２８】  このようにすると、骨密度測定装置を含むシステムとして、骨密度測定装置の効果を十分に発揮することができる。【００２９】  また、本発明の参照体が、歯の組成と近似する組成であることを特徴としてもよい。このようにすると、参照体と骨密度測定装置とを含むシステムとして、骨密度測定装置の効果を十分に発揮することができる。【００３０】  更に、本発明の骨密度測定システムは、参照体が、ハイドロキシアパタイト又は該アパタイトのＯＨ基を他の元素に置換したハイドロキシアパタイトの同族体と炭素とを、異なる混合比で混和して構成したものであることを特徴としてもよい。これも参照体と骨密度測定装置とを含むシステムとして、骨密度測定装置の効果を十分に発揮することができる。【００３１】  また、本発明の骨密度測定システムは、参照体が３段階の画像濃度が得られる試料を含むことを特徴としてもよい。これによれば、参照体と骨密度測定装置とを含むシステムとして、骨密度測定装置の効果を十分に発揮することができる。【００３２】  更に、本発明の骨密度測定システムは、参照体を収容するケースと、ケースに設けられた自動読み取り可能なマーカーとを有することを特徴としてもよい。このようにすると、参照体と骨密度測定装置とを含むシステムとして、マーカーを利用することで、骨密度測定装置の効果を十分に発揮することができる。【００３３】  更に、本発明の骨密度測定システムは、参照体と骨部とを同時に撮影するために参照体を保持する撮影補助具を有することを特徴としてもよい。【００３４】  このようにすると、参照体と歯槽骨とのＸ線撮影を正確にかつ容易に行うことができ、被撮影者に対する負担の軽減と、精度の高い骨密度測定結果が得られる。【００３５】  更に、本発明の別の態様では、撮影補助具であって、骨部撮影用に、画像情報検出媒体を保持する保持部と、保持部の一端に設けられ保持部を適切な位置に支持するための支持部とを有し、保持部の支持部側に、骨部とともに画像情報検出媒体に検出されるように、参照体が保持される機構を備えることを特徴としてもよい。【００３６】  このようにすると、骨密度測定用に、骨部と同時に撮影される参照体を保持する撮影補助具として、本発明の骨密度測定システムのみならず、それ以外の骨密度測定システムとともに用いられても、有効である。
【発明の効果】
【００３７】  本発明に係る骨密度測定装置及び骨密度測定システムでは、適切な参照体を用いることで、画像比較部により参照体と関心領域の比較がなされ、更に骨密度算出部において骨密度が絶対数値で算出されるため、正確で、普遍的な骨密度の数値が得られる。
【図面の簡単な説明】
【００３８】
【図１】本発明の一実施形態に係る骨密度測定システムのハードウエア構成図である。
【図２】本発明の一実施形態に係るシステムの参照体の説明図である。
【図３】本発明の一実施形態に係るシステムの撮影補助具の説明図である。
【図４】本発明の一実施形態に係るシステムの別の撮影補助具の説明図である。
【図５】本発明の一実施形態に係る骨密度測定装置の機能構成図である。
【図６】本発明の一実施形態に係るシステムの動作フローである。
【図７】本発明の一実施形態に係るシステムの撮影された画像の例である。
【図８】本発明の一実施形態に係るシステムの参照体関心領域設定の動作フローである。
【図９】本発明の一実施形態に係るシステムの参照体関心領域設定部の画像の例である。
【図１０】本発明の一実施形態に係るシステムの参照体関心領域設定部の画像の例である。
【図１１】本発明の一実施形態に係るシステムの画像濃度と骨密度との相関図である。
【図１２】本発明の一実施形態に係る装置の骨部関心領域設定の方法の説明図である。
【図１３Ａ】本発明の一実施形態に係る装置の骨部関心領域の例を示す説明図である。
【図１３Ｂ】本発明の一実施形態に係る装置の骨部関心領域の例を示す説明図である。
【図１３Ｃ】本発明の一実施形態に係る装置の骨部関心領域の例を示す説明図である。
【図１３Ｄ】本発明の一実施形態に係る装置の骨部関心領域の例を示す説明図である。
【図１３Ｅ】本発明の一実施形態に係る装置の骨部関心領域の例を示す説明図である。
【図１３Ｆ】本発明の一実施形態に係る装置の骨部関心領域の例を示す説明図である。
【図１４】本発明の一実施形態に係るシステムの撮影された画像の別の例である。
【発明を実施するための形態】
【００３９】  以下、図面を参照し、本発明の第１の実施形態にかかる骨密度測定システム及び骨密度測定装置について説明する。なお、以下では本発明の目的を達成するための説明に必要な範囲を模式的に示し、本発明の該当部分の説明に必要な範囲を主に説明することとし、説明を省略する箇所については公知技術によるものとする。
【００４０】  図１は、本発明の一実施形態に係る骨密度測定システム１００のハードウエア構成図である。骨密度測定システム１００は、骨密度測定装置１、撮影装置２、参照体３、撮影補助具４を含んでいる。なお、撮影補助具４は、状況によっては使用しないか、あるいは異なる撮影補助手段を用いるようにしてもよい。
【００４１】  ここで、骨密度測定装置１は、文字情報や画像情報を表示する表示部１１、情報を入力するキーボードなどの入力部１２、情報を出力するプリンターなどの出力部１３、情報やプログラムなどを記憶するハードディスクなどの記憶部１４、有線及び／もしくは無線によって外部と接続するインターフェース部１５、これら全体を制御するＣＰＵなどの制御部１６などからなり、パーソナルコンピュータ、サーバなどであればよいし、あるいは専用機であってもよい。また、これらの構成要素が一体で構成されていてもよいし、クラウドコンピューティングのように分散して設置されていてもよい。
【００４２】  撮影装置２は、歯科関連の歯槽骨部分のＸ線撮影などを行う撮影装置である。歯科Ｘ線画像撮影装置が好適であるが、それに限定せず、歯科パノラマＸ線画像撮影装置、歯科に限定しないＸ線画像撮影装置、ＭＲＩ・ＣＴなどによる画像撮影装置、超音波による画像撮影装置などでもよく、それらの組み合わせであってもよい。得られる画像により、適切な骨密度測定が行える場合もある。
【００４３】  なお、撮影装置２には、装置本体から離れて設けられる、画像情報検出媒体を含んでいる。画像情報検出媒体としては、例えば有機フィルム上の片面に輝尽性蛍光体粉末を塗布した板などのようなイメージングプレート２１が好適であるが、それに限定せず、撮影方法・方式によっては、写真フィルム（Ｘ線フィルム）、あるいはフラットパネルディテクター（ＦＰＤ）などの固体半導体方式の検出器を画像情報検出媒体としてもよい。
【００４４】  参照体３は、被撮影者の骨部、特に歯槽骨部（本発明の構成外）を撮影する際に、同一画面に写り込まれるように配置されるものである。ここで、参照体３は歯の組成と近似する組成であることが好ましく、更に具体的には、ハイドロキシアパタイト又は該アパタイトのＯＨ基を他の元素に置換したハイドロキシアパタイトの同族体と炭素とを、異なる混合比で混和して構成したものであることがより好ましい。
【００４５】  図２は、本発明の一実施形態に係る骨密度測定システム１００の参照体３に関連する部分の説明図である。参照体３は、３段階の画像濃度が得られる試料３ａ、３ｂ、３ｃから構成されている。ここで、参照体３の各々の試料と骨密度相当値との相関は、例えば、    参照体３ａ  混合比  ２０％  骨密度相当値  ０．５０ｇ／平方ｃｍ    参照体３ｂ  混合比  ６０％  骨密度相当値  ０．７５ｇ／平方ｃｍ    参照体３ｃ  混合比１００％  骨密度相当値  １．００ｇ／平方ｃｍ  であるように製作されている。ここで、混合比とは、全体に対するハイドロキシアパタイトの同族体の比率であり、アパタイト当量とも言う。３段階の参照体で、実用的な精度は得られる。もちろん、更に細かい段階、例えば４ないし５段階の参照体を用いてもよく、その方が取り扱いは煩瑣になるが、精度の向上は期待できる。
【００４６】  なお、参照体の骨密度相当値の決定は、参照体の組成から算出する理論値によってもよいが、濃度と骨密度の相関が確定している、例えば「骨塩定量ファントム」あるいは「骨密度標準チャート」と呼ばれる試料と並べて参照体を撮影することで求めてもよい。
【００４７】  なお、参照体３の概略寸法は、例えば、参照体３ａ、３ｂ、３ｃのそれぞれが、撮影装置２に対向する面が１辺５ｍｍの正方形で、奥行が１０ｍｍ程度であるが、この寸法に限定されるものではなく、骨密度がｇ／平方ｃｍで表現されることが通例であることから、測定対象となる骨部などの硬組織と近似した厚みとすることでもよい。例えば、下顎前歯部ならば８ｍｍ、小臼歯部ならば１０ｍｍ、大臼歯部ならば１２ｍｍとしてもよい。
【００４８】  また、参照体３はケース３１に設けられた穴部に挿入して収容され、更にケース３１には、参照体の列の延長上に、例えば銅の金属線などで、参照体３方向に長くそれと垂直の方向に短い十字状に形成した自動読み取り可能なマーカー３２が付されている。なお、マーカーの位置・形状などはこの図の形態に限定されるものではなく、自動読取りが容易なものであればよく、参照体３の挿入方向も図のようなマーカー３２側からに限らず、反対側からでも、上面からでも、下面からでもよい。
【００４９】  更に、ケース３１の上面には、２カ所の突起部３３が設けられている。これは、組み立て時に位置決めをして固定するためのものである。
【００５０】  ケース３１の概略寸法は、例えば、撮影装置２に対向する面が、７ｍｍ×２４ｍｍ程度で、奥行が１０ｍｍ程度であることが望ましいが、これに限定するものではない。なお、必ずしもケース３１に収容されることを要しないし、マーカー３２を有せずに、画像の位置や参照体の形状などを用いて自動読取してもよいし、あるいは、装置の操作者がマウスなどの入力部によって読み取りを支援するようにしてもよい。
【００５１】  図３および図４は、本発明の一実施形態に係る骨密度測定システム１００の撮影補助具４の説明図である。ここで、撮影補助具４は、参照体３と歯槽骨部Ｂとを同時に撮影するために参照体３を保持するものであり、参照体３は、マーカー３２を付したケース３１に収容された状態で保持されているものとする。但し、必ずしもケース３１に収容されることを要さず、ケース３１を用いない方法、例えば、参照体３自体を撮影補助具４に固定するようにして保持してもよい。
【００５２】  撮影補助具４は、Ｘ線画像を捕らえる平面状のイメージングプレート２１を撮影装置２の本体の撮影主軸Ｚと略直交するように挟み込んで保持する保持部４１、保持部４１の一端に、保持部４１と略直交するように設けられ、保持部４１を適切な位置に上顎歯と下顎歯で咬合して支持するための細長棒状の支持部４２、支持部４２の保持部４１と反対側に設けられた撮影を容易にするための円環状の方向指示ガイド４３を有し、特に図３では、方向指示ガイド４３の中央部に設けられた空間であり、撮影された画像が矩形になるようにするための矩形絞り４３１を有する。
【００５３】  なお、図４は、矩形絞り４３１を有さず、方向指示ガイド４３の内側が大きく空間となっているものであり、矩形に絞る必要のない場合には、このような簡便な構造のものでもよい。更に、方向指示ガイド４３自体も、撮影方法などによっては必ずしも有しなくてもよい。
【００５４】  更に、支持部４２の保持部４１側の端部に、歯槽骨部とともにイメージングプレート２１に検出されるように、参照体３を収容したケース３１を設置する。
【００５５】  具体的には、支持部４２の保持部４１側端部に形成された略コの字型の空間に、参照体３を収容したケース３１を挿入し、ケース３１側に設けられた２個所の突起部３３を図示しない支持部４２側の溝部に嵌合することで固定する。
【００５６】  ここで、参照体３を収容したケース３１の設置場所及び固定方法は、これまでの説明に限定されず、保持部４１に設置してもよいし、固定方法もねじ止めなど周知の方法によってもよいし、あるいはケース３１を用いずに参照体３及びマーカー３２そのものを支持部４２または保持部４１に固定するようにしてもよい。
【００５７】  なお、撮影補助具４は、歯槽骨部以外の骨部の撮影の際に用いてもよい。その場合は、イメージングプレート２１と、参照体３を収容したケース３１または参照体３そのものとを保持する保持具４、及び、保持具４１を適切に支持する支持具４２の形状は、撮影部位に合わせて設計すればよく、要するに、骨部と参照体３とが同一の画面に捕らえられるようにできればよい。
【００５８】  図５は、本発明の一実施形態に係る骨密度測定装置１の機能構成図である。骨密度測定装置１は、先に述べたハードウエア構成要素が協働して実現する機能要素として、撮影された歯槽骨などの骨部及び骨密度測定用の参照体のＸ線画像を同一画面に表示する画像表示部１０１、表示された参照体画像の関心領域を設定する参照体関心領域設定部１０２、設定された参照体関心領域の濃度を測定する参照体濃度測定部１０３、表示された歯槽骨などの骨部の画像において関心領域を設定する骨部関心領域設定部１０４、骨部関心領域の濃度を測定する骨部濃度測定部１０５、骨部関心領域の画像濃度と参照体の画像濃度とを比較して骨部関心領域の骨密度を算出する骨密度算出部１０６などを有する。
【００５９】  これらの構成の骨密度測定システム及び骨密度測定部の動作を説明する。  図６は、本発明の一実施形態に係る骨密度測定システム１００の動作フローである。骨密度測定装置１が、表示部１１を介して、骨密度の測定を行おうとする被測定者について、測定する部位を示して、撮影補助具４の装着を指示する（ステップＳ０１）。具体的には、上顎歯の場合は、参照体３を格納しているケース３１に撮影したい歯の先端部（歯頂部）を載置し、イメージングプレート２１を保持している保持部４１を対象歯の内側で、歯根方向（上方）に向かうように、咬合部４２を被測定者に咬合させ、固定する。なお、下顎歯については、保持部４１の上下が逆になる。
【００６０】  次に、撮影装置２を、その先頭部分を方向指示ガイド４３に突き当てて固定し、撮影主軸Ｚをイメージングプレート２１に略垂直になるようにして、参照体３と歯槽骨部とを同一画面に入るように口内法にて撮影を行い、イメージングプレート２１に画像を捕捉する（ステップＳ０２）。
【００６１】  次に、骨密度測定装置１が、イメージングプレート２１から撮影装置２の本体を経由し、あるいは、イメージングプレート２１を、直接、骨密度測定装置測定装置１の入力部１２にて読み取らせることにより、撮影された画像情報を受領し、画像表示部１０１が、撮影された画像を表示する（ステップＳ０３）。
【００６２】  図７は、本発明の一実施形態の骨密度測定システムの撮影された画像の例であり、骨密度測定装置１の画像表示部１０１が、歯槽骨部Ｂの画像を下部に、参照体３の画像を上部に配置して、同一画面に表示する。ここで、参照体３の画像には、図中で、左から順に３段階の画像濃度が得られる参照体試料３ａ、３ｂ、３ｃの画像、及び、自動測定のためのマーカー３２の画像が表示される。
【００６３】  なお、本図においては、マーカー３２、参照体３が水平方向に並んでおらず、やや傾いた状態で撮影されている。撮影の状況が様々であり、このように水平方向からずれる場合も頻発するのでその場合でも参照体３を正確に把握できる方法が要求される。
【００６４】  そのために、参照体関心領域設定部１０２が、参照体についての関心領域を設定する。図８は、本発明の一実施形態に係る骨密度測定システムの参照体関心領域設定の動作フローである。
【００６５】  まず、画像上で、マーカー３２の中心座標を抽出する（ステップＳ１１）。具体的にはマーカー３２の画像が比較的細い線で、かつ、高輝度であることを用いて、濃淡ＯＰＥＮＩＮＧ処理、画像差分処理などの手法により、マーカー３２部分の画像のみを求め、その中心座標（位置）を抽出する。なお、マーカー３２の中心座標の抽出は、この方法に限定せず、例えば、パターンマッチングによって探してもよい。
【００６６】  次に、マーカー３２の中心座標を用いて最遠の参照体試料３ａの中心座標を求める（ステップＳ１２）。具体的には、マーカー３２の略水平方向の辺を延伸して、予め設定しておいた最遠の参照体試料３ｃまでの距離に相当する画像上の距離の位置を中心座標とする。図９は本発明の一実施形態に係る骨密度測定システムの参照体関心領域設定部に関する画像の例であり、マーカー３２の中心座標及び最遠の参照体試料３ａの中心座標が示されている。
【００６７】  次に、マーカー３２の中心座標と最遠の参照体試料３ａの中心座標とを用いて参照体の関心領域を決定する（ステップＳ１３）。具体的には、図９に示すように、マーカー３２の中心座標と最遠の参照体試料３ａの中心座標との間を、予め設定してある比率で内分（例えば、図示するようにｌ：ｍ：ｎ）して、その他の参照体試料３ｃ、３ｂの中心座標を求める。
【００６８】  図１０は、本発明の一実施形態に係る骨密度測定システムの参照体関心領域設定部に関する画像の例であり、関心領域が設定された状態を示す。参照体３の画像は、先に示すように、水平方向から傾いて撮影される場合も多く、更に、Ｘ線の入射角度などの影響で微妙な誤差があるため補正が必要であり、マーカー３２の画像から参照体試料３ａ、３ｂ、３ｃへの距離の相対値から参照体の画像であることの確認を行い、更に、関心領域内の濃度の分散が最小となる係数で関心領域を作成するなどの手法が必要な場合もある。
【００６９】  その後、各参照体試料３ａ、３ｂ、３ｃの中心座標から縦横それぞれ所定の画素数の領域を設定する。これが参照体関心領域３ａｒ、３ｂｒ、３ｃｒである。ここでは、参照体関心領域３ａｒ、３ｂｒ、３ｃｒのサイズは、それぞれ１辺が３０画素の正方形となっている。
【００７０】  このようにすることで、参照体の関心領域が、人手を介さず、自動で正確に行えることになり、その効果は大きい。
【００７１】  なお、もちろん、参照体の関心領域が何らかの理由で、自動で行えない場合であっても、図９に示す画像を画面に提示して、操作者に入力を促すようにしてもよい。
【００７２】  次に、参照体濃度測定部１０３が、参照体３の関心領域の画像から、周知の方法で、参照体試料３ａ、３ｂ、３ｃの画像濃度を測定する（図６のステップＳ０４）。ここで、濃度の代表値としては、状況に応じて、平均値、中央値、最頻値のいずれをも設定できるようになっている。
【００７３】  例えば、参照体３ａ、３ｂ、３ｃの濃度については、その中央を濃度の代表値とするのが好ましいので、平均値もしくは中央値を用いることが望ましく、特に、濃度分布が安定している場合は平均値が最も望ましい。一方、マーカー３２の濃度のように一部分だけ尖った濃度分布の場合は、尖った部分を濃度の代表値とするのが好ましいので、最頻値を用いることが望ましい。
【００７４】  図１１は、本発明の一実施形態における参照体の画像の濃度と骨密度との相関を示す図である。すなわち、上記の例の場合には、測定の結果、以下のようになった。    参照体３ａ  濃度    ９６    参照体３ｂ  濃度  １３５    参照体３ｃ  濃度  １５２  ここで、参照体３ｂと参照体３ｃとは、撮影補助具４の保持部４１または支持部４２と重複して濃度が過剰に高くなるため、その部分を補正する。    参照体３ａ  濃度                      ９６（補正なし）    参照体３ｂ  濃度  １３５ｘ０．９３＝１２６    参照体３ｃ  濃度  １５２ｘ０．９７＝１４８  その結果、先に述べた濃度と骨密度の関係は、次のようになる。    参照体３ａ  濃度    ９６  骨密度相当値  ０．５０ｇ／平方ｃｍ    参照体３ｂ  濃度  １２６  骨密度相当値  ０．７５ｇ／平方ｃｍ    参照体３ｃ  濃度  １４８  骨密度相当値  １．００ｇ／平方ｃｍ  これを図示したものが本図であり、ほぼ直線状の相関がみられる。なお、この場合の近似式は、濃度をｘ、骨密度をｙとして、ｙ＝０．００９５ｘ−０．４２７  となる。
【００７５】  次に、骨部関心領域設定部１０４が、骨部、特に、歯槽骨部の関心領域Ｂｒを設定する（図６のステップＳ０５）。図１２は、本発明の一実施形態の骨密度測定装置における骨部関心領域設定の方法を示す説明図であり、特定の歯の歯軸の両側にほぼ等距離だけ離れた位置に幅ｗ、高さｈの寸法の２カ所の骨部関心領域Ｂｒ１、Ｂｒ２を設定する。なお、これらの歯の特定、領域の指定については、骨密度測定の用途に応じて、適宜、決定すればよい。
【００７６】  ここで、関心領域を設定する骨部関心領域については、それ以外の場所であってもよい。図１３Ａ〜図１３Ｆは、本発明の一実施形態の骨密度測定装置における骨部関心領域の例を示す説明図で、黒塗り部分が骨部関心領域を示しており、先に述べた歯槽骨部（図１３Ａ）のほか、顎骨骨体部以外にも、歯槽頂部（図１３Ｂ）、根尖部（図１３Ｃ）、顎骨骨体部（図１３Ｄ）、抜歯窩（図１３Ｅ）、顎堤（インプラント・技師などの治療予定部）（図１３Ｆ）などであってもよく、所定の距離、寸法については、適宜、選択すればよい。
【００７７】  ここで、図中、図１３Ｅと図１３Ｆについては、特に、歯科医師に対する治療経過の評価と治療計画の立案支援のために有用であり、その他については、特に、歯槽骨吸収の定量評価に基づく歯周病の診断支援に有用である。
【００７８】  なお、骨部の関心領域については、必ずしも領域を設定せず、特定の個所を指定してその個所の濃度を測定することであってもよい。
【００７９】  次に、骨部濃度測定部１０５が、骨部、特に、歯槽骨部の関心領域の濃度を測定する（図６のステップＳ０６）。例えば、先に述べた歯槽骨部の骨部関心領域について、濃度の代表値を求める。歯槽骨部の関心領域は、ユーザが任意に選べるため、歯の領域と歯でない領域を同時に含む関心領域になり得る。そのような場合には、濃度分布を観察した上で、代表値を、平均値、中央値、最頻値のいずれかに設定する。ここで、代表値として、例えば、濃度が１２０と求められたとする。
【００８０】  なお、関心領域の代表値としての濃度を求めることが精度を確保する点からは好適であるが、特定の個所のみの濃度など、他の方法で求めてもよい。簡便に測定することが出来る場合もある。
【００８１】  次に、骨密度算出部１０６が、参照体の濃度と骨密度との相関、及び歯槽骨部の関心領域の濃度から、歯槽骨部の骨密度を算出する（図６のステップＳ０７）。この場合、図１１の近似式を用いて算出すると、濃度１２０の場合の骨密度は、約０．７１ｇ／平方ｃｍと算出される。このようにして、歯槽骨部の骨密度が、汎用の単位であるｇ／平方ｃｍで求められることになる。
【００８２】  なお、これまで述べた参照体濃度と骨密度との関係は、撮影された画像毎に異なり、例えば、図１４は、デジタル画像でなく、フィルム画像の例であるが、この場合には一見して、濃度（画素値）が大幅に低くなっているが、参照体関心領域３ａ、３ｂ、３ｃ、骨部関心領域Ｂｒのいずれもが、同様に濃度低下をしているために、図１１と同様の手法で相関図を作成することで、適切に骨密度を算出することができる。
【産業上の利用可能性】
【００８３】  本願は、歯科Ｘ線画像を用いて骨密度を測定し、骨粗鬆症の診断の支援などに用いることができる点において、広く、産業上の利用可能性を有する。
【符号の説明】
【００８４】１      骨密度測定装置２      撮影装置３      参照体４      撮影補助具１００  骨密度測定システム
【図１】
2018131611.tif 000003
【図２】
2018131611.tif 000004
【図３】
2018131611.tif 000005
【図４】
2018131611.tif 000006
【図５】
2018131611.tif 000007
【図６】
2018131611.tif 000008
【図７】
2018131611.tif 000009
【図８】
2018131611.tif 000010
【図９】
2018131611.tif 000011
【図１０】
2018131611.tif 000012
【図１１】
2018131611.tif 000013
【図１２】
2018131611.tif 000014
【図１３Ａ】
2018131611.tif 000015
【図１３Ｂ】
2018131611.tif 000016
【図１３Ｃ】
2018131611.tif 000017
【図１３Ｄ】
2018131611.tif 000018
【図１３Ｅ】
2018131611.tif 000019
【図１３Ｆ】
2018131611.tif 000020
【図１４】
2018131611.tif 000021
【国際調査報告】
2018131611.tif 000022
2018131611.tif 000023
2018131611.tif 000024
2018131611.tif 000025